(57)【特許請求の範囲】
【請求項１】
引き出しポストが設けられたボートを駆動してテープカセットから引き出した磁気テープを回転ヘッドシリンダに巻き付けて記録再生する磁気記録再生装置において、
回転ヘッドシリンダが取り付けられたシャーシに設けられ、前記ボートの移動経路を規定するガイド溝と、
前記ガイド溝におけるテープ引き出し時の前記ボート移動範囲に設けられ、テープカセット寄りの端部付近に前記ガイド溝よりも幅広で前記ボートを前記ガイド溝に移動自在に係合させる挿入用拡張孔と、
前記ボートに設けられ、前記ボートを前記シャーシに取り付ける際に前記挿入用拡張孔に挿入し、前記ボートを前記シャーシに取り付けた後は前記ボートを前記シャーシに保持する係合突起と、
前記シャーシに取り付けられ先端がテープカセットに形成されているテープエンド検出用凹部に挿入され、かつ基端部には前記シャーシに取り付けられた状態で前記ガイド溝のテープカセット寄りの端部に先端が挿入されて待機位置の前記ボートに当接して前記係合突起が前記挿入用拡張孔に係合しないようにボートの移動を規制する位置決め突起が形成されたライトガイドと
を設けた磁気記録再生装置。
【発明の詳細な説明】
【０００１】
【発明の属する技術分野】
本発明は、磁気記録再生装置の引き出しポストの待機位置の位置決めに関するものである。
【０００２】
【従来の技術】
ビデオテープレコーダでは、テープカセットの移動，テープ引き出しポストの移動，キャプスタン用ピンチローラの移動などを、複数のモード（カセットエジェクトモード，カセット下降モード，再生モード，逆再生モード，早送り・巻戻しモードなど）に連動して適正な動作を行わせるべく、メインカムギヤを単一の直流モータにより回転させながら、このメインカムギヤに係合するリンク機構を介して前記の各部品を駆動させる構造が採用されている。
【０００３】
図４はメインカムギヤを駆動するモータの運転を制御する構成を示している。直流モータ１は減速機構２を介してメインカムギヤ３に連結されている。メインカムギヤ３の回転によってこのメインカムギヤ３のカム溝（図示せず）を倣うメインレバー４（図５を参照）とこのメインレバー４に連結された各種のレバーやギヤで構成されるリンク機構５を介して、テープカセット昇降駆動部６，テープローディング駆動部７，ピンチローラ駆動部８，クラッチ・ブレーキ駆動部９が適切な時期に所期の動作を実施するように駆動される。
【０００４】
メインカムギヤ３にはメインカムギヤ３の絶対値の回動位置を検出するロータリーエンコーダ１０が連結されており、制御手段としてのマイクロコンピュータ１１は操作パネル１２からの指示入力とロータリーエンコーダ１０の検出データとに基づいて、操作パネル１２からの指示入力に対応した回動位置にまでメインカムギヤ３が回動して停止するようにモータへの通電のオン−オフ，通電の極性，通電期間をコントロールしている。
【０００５】
図５と図６に示すように、テープカセットから磁気テープを引き出して回転ヘッドシリンダ１３に巻き付けてローディングするテープローディング駆動部７は、一対のテープ引き出しポスト７ａ，７ｂを有している。
【０００６】
シャーシ１４に形成されたガイド溝１５ａ，１５ｂに係合してスライド移動するテープ引き出しポスト７ａ，７ｂは、図６に示すローディングアーム１６ａ，１６ｂの先端に連結されており、ローディングアーム１６ａ，１６ｂの基端は、互いに噛合したギヤ１７ａ，１７ｂと一体に回動するレバー１８ａ，１８ｂにピン１９ａ，１９ｂで連結されている。ギヤ１７ａ，１７ｂの一方はメインレバー４に係合したラック２０（図５を参照）に噛合して、テープ引き出しポスト７ａ，７ｂが図６に示す仮想線位置と実線で示すローディング完了位置の間を移動するように構成されている。
【０００７】
具体的には、テープ引き出しポスト７ａ，７ｂはポスト本体２３とこのポスト本体２３が圧入されたボート２４とで構成されており、ボート２４に形成された係合突起２４ａがシャーシ１４に係合してガイド溝１５ａ，１５ｂに沿って移動可能に構成されている。
【０００８】
なお、ガイド溝１５ａ，１５ｂの前記ガイド溝のテープカセット寄りの端部付近には、図６に示すようにガイド溝よりも幅広の挿入用拡張孔２５が形成されており、ボート２４の係合突起２４ａがシャーシ１４の挿入用拡張孔２５に入るように位置合わせしてシャーシ１４の上面側からボート２４の下部をシャーシ１４に差し込み、シャーシ１４に差し込んだボート２４を図６に仮想線で示すようにローディング完了位置に向かって僅かばかり移動させ、ボート２４がシャーシ１４に装着されている。このようにボート２４をシャーシ１４に装着した状態でローディングアーム１６ａ，１６ｂの先端がボート２４の下部に突設された軸２４ｂに挿入されている。
【０００９】
２６はシャーシ１４の裏面からシャーシ１４に挿入されて取り付けられたライトガイドで、図８に示すようにテープカセット２７の裏面の中央付近に形成されているテープエンド検出用凹部に先端が挿入され、ライトガイド２６の基端２６ａに入射した発光ダイオードからの出射光を、テープカセット２７の内部に投射し、テープエンドの透明のテープリーダ部分を検出するのに寄与している。
【００１０】
なお、テープカセット２７はＶＨＳビデオカセットシステムの規格品で、ライトガイド２６もこの規格に規定されているものである。
【００１１】
【発明が解決しようとする課題】
このような従来の構成では、ボート２４に係合突起２４ａを設け、ガイド溝１５ａ，１５ｂの端部付近に挿入用拡張孔２５を設けたことによって、シャーシ１４へのテープ引き出しポスト７ａ，７ｂの取り付け作業を簡単にできる。
【００１２】
しかし、装着したテープ引き出しポスト７ａ，７ｂが挿入用拡張孔２５に引っ掛ってボート２４のスムーズな移動を妨げないように、それとテープカセットがローディング開始位置に降下したときにテープ引き出しポスト７ａ，７ｂがテープカセットの前面に形成されている凹部に正確に挿入されるように、待機位置でのテープ引き出しポスト７ａ，７ｂの位置を位置決めすることが必要である。
【００１３】
そのため、従来では前記の待機位置のローディングアーム１６ａ，１６ｂをシャーシ１４の側に当接させて位置決めさせている。
具体的には、ローディングアーム１６ｂの場合には図９に示すようにシャーシ１４の側に設けた突起２８をローディングアーム１６ｂに当接させて位置決めしている。
【００１４】
しかし、待機位置のテープ引き出しポスト７ｂの位置決めを行うためにローディングアーム１６ｂを介して位置決めしているため、機械的なガタツキが発生して前記の位置決めが不正確になる問題がある。
【００１５】
本発明はシャーシへのテープ引き出しポストの装着が容易で、待機位置のテープ引き出しポストの位置決めが正確で、しかも部品点数の増加を伴わない構造の磁気記録再生装置を提供することを目的とする。
【００１６】
【課題を解決するための手段】
本発明の磁気記録再生装置は、テープエンド検出用に使用されているライトガイドに、待機位置の引き出しポスト側のボートに直接に当接する位置決め突起を設けたことを特徴とする。
【００１７】
この本発明によると、シャーシへのテープ引き出しポストの装着が容易で、待機位置のテープ引き出しポストの位置決めが正確で、しかも部品点数の増加を伴わない構造の磁気記録再生装置が得られる。
【００１８】
【課題を解決するための手段】
本発明の磁気記録再生装置は、引き出しポストが設けられたボートを駆動してテープカセットから引き出した磁気テープを回転ヘッドシリンダに巻き付けて記録再生する磁気記録再生装置において、回転ヘッドシリンダが取り付けられたシャーシに設けられ、前記ボートの移動経路を規定するガイド溝と、前記ガイド溝におけるテープ引き出し時の前記ボート移動範囲に設けられ、テープカセット寄りの端部付近に前記ガイド溝よりも幅広で前記ボートを前記ガイド溝に移動自在に係合させる挿入用拡張孔と、前記ボートに設けられ、前記ボートを前記シャーシに取り付ける際に前記挿入用拡張孔に挿入し、前記ボートを前記シャーシに取り付けた後は前記ボートを前記シャーシに保持する係合突起と、前記シャーシに取り付けられ先端がテープカセットに形成されているテープエンド検出用凹部に挿入され、かつ基端部には前記シャーシに取り付けられた状態で前記ガイド溝のテープカセット寄りの端部に先端が挿入されて待機位置の前記ボートに当接して前記係合突起が前記挿入用拡張孔に係合しないようにボートの移動を規制する位置決め突起が形成されたライトガイドとを設けたことを特徴とする。
【００１９】
以下、本発明の実施の形態を図１〜図３に基づいて説明する。
なお、従来例を示す図４〜図９と同様の作用をなすものには同一の符号を付けて説明する。
【００２０】
図２に示すように本発明の磁気記録再生装置に使用されているライトガイド２６には、基端部に、シャーシ１４に係合してライトガイド２６がシャーシ１４から脱落しないように保持する係合部２６ｂと、ガイド溝１５ｂの端部に挿入される位置決め突起２６ｃが一体に形成されている。
【００２１】
このライトガイド２６は図１に示すように、シャーシ１４の裏面側からライトガイド２６の先端部２６ｄをシャーシ１４に穿設された孔１４ａに挿入して、前記の係合部２６ｂをシャーシ１４に穿設された孔１４ｂに係合させて装着される。
【００２２】
この装着状態では、ライトガイド２６の位置決め突起２６ｃがガイド溝１５ｂに挿入される、待機状態のボート２４は図３に示すように位置決め突起２６ｃに当接して、ボート２４はテープ引き出しポスト７ｂのポスト本体２３とガイドローラ２９とが、テープカセット２７の裏面に形成された所定の凹部に正確に差し込まれるポジションに位置決めされている。
【００２３】
また、この位置決め状態ではボート２４の係合突起２４ａが挿入用拡張孔２５に引っ掛からない位置に位置決めされている。
このように、テープ引き出しポスト７ｂのボート２４がローディングアーム１６ｂを介することなく固定側となるライトガイド２６の位置決め突起２６ｃに直接に押し付けられて当接しているため、テープ引き出しポスト７ｂおよびガイドローラ２９の待機位置のポジションを従来よりも正確に位置決めできる。
【００２４】
さらに、位置決め突起２６ｃをライトガイド２６に一体に形成しているため、ライトガイド２６のシャーシ１４への取り付けだけで位置決め突起２６ｃを目的のガイド溝１５ｂの端部に位置させることができて組み立て易く、また、部品点数の増加を伴わないものである。
【００２５】
【発明の効果】
以上のように本発明によると、回転ヘッドシリンダが取り付けられたシャーシに前記の引き出しポストが植設されたボートの移動経路を規定するガイド溝を設け、前記ガイド溝のテープカセット寄りの端部付近にはガイド溝よりも幅広で前記のボートをこのガイド溝に移動自在に係合させる挿入用拡張孔を設け、前記シャーシに取り付けられ先端がテープカセットの裏面の中央付近に形成されているテープエンド検出用凹部に挿入され基端部には、前記ガイド溝のテープカセット寄りの端部に挿入されて待機位置の前記のボートに当接して前記の挿入用拡張孔に係合しないようにボートの移動を規制する位置決め突起が形成されたライトガイドを設けたため、ライトガイドをシャーシに取り付けることによって、ライトガイドの位置決め突起がガイド溝の端部に挿入され、待機位置のボートが直接にライトガイドの位置決め突起に当接して正確に位置決めされる。また、ライトガイドに位置決め突起を設けたため部品点数の増加を伴わない構造である。
【図面の簡単な説明】
【図１】本発明の磁気記録再生装置のシャーシの裏面の待機状態の要部斜視図
【図２】同実施の形態のライトガイドの拡大斜視図
【図３】図１に示す待機状態の平面図
【図４】磁気記録再生装置のメカニズムの動力伝達系の説明図
【図５】テープローディング途中を示す要部の平面図
【図６】従来例のテープローディング完了状態の背面図
【図７】同従来例のテープローディング完了状態の平面図
【図８】同従来例のテープカセットの装着位置を示す平面図
【図９】同従来例のシャーシの裏面の待機状態の要部斜視図
【符号の説明】
１    直流モータ
３    メインカムギヤ
７ａ，７ｂ    テープ引き出しポスト
１３    回転ヘッドシリンダ
１４    シャーシ
１５ａ，１５ｂ      ガイド溝
２３    ポスト本体
２４    ボート
２４ａ  係合突起
２５    挿入用拡張孔
２６    ライトガイド
２６ｃ  位置決め突起
２７    テープカセット
【図１】
0003615879.tif 000002
【図２】
0003615879.tif 000003
【図３】
0003615879.tif 000004
【図４】
0003615879.tif 000005
【図５】
0003615879.tif 000006
【図６】
0003615879.tif 000007
【図７】
0003615879.tif 000008
【図８】
0003615879.tif 000009
【図９】
0003615879.tif 000010